(57)【要約】【課題】この発明は現行の灯具との互換性を保ちながら、ＬＥＤ光源と電源装置を別置にして、ランプ・ヒートシンクの小型化と半導体への熱影響の低減及びＬＥＤ寿命時期にランプのみの交換を可能にする電源装置別置式ＬＥＤ直下埋め込み型及びＬＥＤ直下埋め込み薄型照明器具を開発・提供する事にある。【解決手段】既設の埋め込み用円形開口部及び既存の灯具に適合し、且つ、ＬＥＤ灯具をＬＥＤランプと電源装置に別置にして設け、且つ、別置にしたＬＥＤランプの端子部と電源装置間を接続する直流専用配線から成るものである。又、既設の埋め込み用円形開口部に適合し、且つ、薄型灯具と薄型灯具内側の上端角部に専用口金を傾斜させて設けた薄型冷熱源付ＬＥＤランプと、専用口金から専用直流配線を介して分離して設けた電源装置から成るものである。【選択図】  図１
2010244770.tif 000002
【特許請求の範囲】
【請求項１】
半導体素子を光源とし、天井面に埋め込み用円形開口部を設けて内部に装着する直下埋め込み型ＬＥＤ照明器具において、既設の埋め込み用円形開口部（ＣＥａ）及び既存の灯具（１）に適合し、且つ、ＬＥＤ灯具をＬＥＤランプ（ＬＬ）と電源装置（３）を別置にして設け、且つ、別置にしたＬＥＤランプの端子部と電源装置間を接続する直流専用配線（Ｗ）から成る事を特徴とする電源装置別置式直下埋め込み型ＬＥＤ照明器具。
【請求項２】
半導体素子を光源とし、天井面に埋め込み用円形開口部を設けて内部に装着する直下埋め込み薄型ＬＥＤ照明器具において、既設の埋め込み用円形開口部（ＣＥａ）に適合し、且つ、薄型灯具（１'）と薄型灯具（１'）内側の上端角部に専用口金（ＥＳ）を傾斜させて設けた薄型冷熱源（２'）付ＬＥＤランプ（ＬＬ'）と、専用口金（ＥＳ）から専用直流配線（Ｗ）を介して別置にして設けた電源装置（３）から成る事を特徴とする電源装置別置式直下埋め込み薄型ＬＥＤ照明器具。
【発明の詳細な説明】
【技術分野】
【０００１】
この発明は、電源装置別置式ＬＥＤ直下埋め込み型及びＬＥＤ直下埋め込み薄型照明器具に関するものである。
【背景技術】
【０００２】
従来の白熱球や電球型蛍光灯を使用したダウンライト器具は、ランプが寿命時期に達した場合、ランプのみの交換と成っている為、電気工事士の有資格者でなくても手軽に交換が出来るというメリットが有った。これは、ランプと灯具という２つの構成部品で成り立っていて、消耗品であるランプのみを取り替える事が可能である為である。又、電球型蛍光灯の場合、時間と共に低下していたランプ照度もランプを交換すれば回復していた。
【０００３】
又、現行のＬＥＤダウンライトは大きく分けて２種類あり、１つは灯具とＬＥＤ光源が一体となったＬＥＤ灯具一体型で、もう一つはランプ自体がＬＥＤになっていて、灯具とＬＥＤ光源が分割できるＬＥＤ灯具分割型がある。そして、一方のＬＥＤ灯具一体型の場合、ＬＥＤランプが寿命時期に至った際に、灯具毎交換しなくてはならない為、交換コストが高くつき、又、産業廃棄物削減や資源保護の観点から問題が残る等の欠点がある。
【０００４】
そして、もう一方のＬＥＤ灯具分割型の場合、ランプ内部にＬＥＤと電源装置を備えており、それでなくても放熱スペースの少ない灯具内部で互いの発熱による相乗効果も加わり、ＬＥＤが高温となり、悪条件となる為、寿命時期の問題が懸念される。この熱の問題を解決する為に、ＬＥＤランプには発熱した熱が効率良く放熱するように放熱板（ヒートシンク）が設けられているが、現行のＬＥＤランプは電源装置とＬＥＤとの相乗熱を冷却する必要があり、大型の放熱板（ヒートシンク）が必要だった。この為、ＬＥＤランプが従来のランプ（白熱球や電球型蛍光灯）に比較して大型に成ってしまい、ランプのコストが高くついたり、取替出来ない等の欠点がある。
【０００５】
又、ＬＥＤの寿命時期は一般に８０℃の使用温度で照度が２０％〜３０％低下する時間を４万時間と表記している。又、４万時間で完全に消灯するわけではないので、この４万時間を定格寿命といわれている。そして、このＬＥＤは熱に弱く、８０℃以上で使用した場合、寿命時期が低下し、逆に８０℃以下で使用すると寿命時期は延びる性格があるといわれている。
【０００６】
そこで、上記問題を解決する為に、現行の灯具との互換性を保ちながら、ＬＥＤ光源と電源装置を分離して、ランプ・ヒートシンクの小型化と半導体への熱影響の低減及びＬＥＤ寿命時期にランプのみの交換を可能にする電源装置別置ＬＥＤ直下型照明器具の早期開発が望まれている。
【先行技術文献】
【特許文献】
【０００７】
これまでに出願されているＬＥＤ直下型照明器具の特許文献を参考の為、紹介する（特許文献１〜４参照）。
【特許文献１】特開２００６−２２８５５２
【特許文献２】特開２００７−０７３４６１
【特許文献３】特開２００７−０９５３９４
【特許文献４】特開２００８−０１６４１７
【発明の概要】
【発明が解決しようとする課題】
【０００８】
そこで、上記課題を解決する為に、この発明は現行の灯具との互換性を保ちながら、ＬＥＤ光源と電源装置を別置にして、ランプ・ヒートシンクの小型化と半導体への熱影響の低減及びＬＥＤ寿命時期にランプのみの交換を可能にする電源装置別置式ＬＥＤ直下埋め込み型及びＬＥＤ直下埋め込み薄型照明器具を開発・提供する事にある。
【課題を解決するための手段】
【０００９】
課題を解決するための手段として、既設の埋め込み用円形開口部及び既存の灯具に適合し、且つ、ＬＥＤ灯具をＬＥＤランプと電源装置に別置にして設け、且つ、別置にしたＬＥＤランプの端子部と電源装置間を接続する直流専用配線から成るものである。又、既設の埋め込み用円形開口部に適合し、且つ、薄型灯具と薄型灯具内側の上端角部に専用口金を傾斜させて設けた薄型冷熱源付ＬＥＤランプと、専用口金から専用直流配線を介して分離して設けた電源装置から成るものである。
【発明の効果】
【００１０】
この発明の効果として、既設の埋め込み用円形開口部及び既存の灯具に適合し、且つ、ＬＥＤ灯具をＬＥＤランプと電源装置に別置にして設け、且つ、別置にしたＬＥＤランプの端子部と電源装置間を接続する直流専用配線から成るものである。又、既設の埋め込み用円形開口部に適合し、且つ、薄型灯具と薄型灯具内側の上端角部に専用口金を傾斜させて設けた薄型冷熱源付ＬＥＤランプと、専用口金から専用直流配線を介して別置にして設けた電源装置から成る事で、ランプ・放熱板の小型化によるコスト低減や半導体への熱影響の低減、又、電気工事士等の資格が無くてもＬＥＤランプの寿命時期にランプのみの交換を可能にする等、極めて有益なる効果を奏するものである。
【図面の簡単な説明】
【００１１】
【図１】この発明の一実施例を示し、電源装置別置ＬＥＤ直下型照明器具の斜視図である。
【図２】この発明の一実施例を示し、電源装置別置ＬＥＤ直下型照明器具の発熱状況図である。
【図３】この発明の一実施例を示し、既存照明器具のＬＥＤ照明器具化の概略図である。
【図４】この発明のその他の実施例を示し、薄型照明器具（ランプ方向横向型）の断面図である。
【図５】この発明の従来例を示し、（Ａ）はＬＥＤ灯具分離型の斜視図で、（Ｂ）はＬＥＤ灯具分離型の発熱状況を示す断面図である。
【発明を実施するための形態】
【００１２】
この発明を実施するための形態として、半導体素子を光源とし、天井面に埋め込み用円形開口部を設けて内部に装着する直下埋め込み型ＬＥＤ照明器具において、既設の埋め込み用円形開口部（ＣＥａ）及び既存の灯具（１）に適合し、且つ、ＬＥＤ灯具をＬＥＤランプ（ＬＬ）と電源装置（３）に別置にして設け、且つ、別置にしたＬＥＤランプの端子部と電源装置間を接続する直流専用配線（Ｗ）から成る事を特徴とする電源装置別置式直下埋め込み型ＬＥＤ照明器具から構成される。
【実施例１】
【００１３】
そこで、この発明の一実施例を図１〜図４に基づいて詳述すると、図１は白熱球や電球型蛍光灯用の既存灯具にＬＥＤランプを取付け、且つ、電源装置を別置し、既存灯具と電源装置間に専用直流配線を新設した電源装置別置式直下埋め込み型ＬＥＤ照明器具の斜視図である。
【００１４】
又、図２は本発明の電源装置別置ＬＥＤ直下型照明器具の発熱状況図を示し、従来型に比較し、電源装置を別置にする事で、反射熱を減少させ、又、放熱性を増す為、灯具内部の温度上昇が低下し、ＬＥＤランプに与える熱影響が低減される為、耐久性の向上に効果を発揮する。
【００１５】
又、図３は既存の照明器具（白熱球又は電球型蛍光灯）の有資格者によるＬＥＤ化を示す概略図で、ＬＥＤ化後、無資格者のＬＥＤランプの交換作業は可能である。
【実施例２】
【００１６】
この発明のその他の実施例として、半導体素子を光源とし、天井面に埋め込み用円形開口部を設けて内部に装着する直下埋め込み薄型ＬＥＤ照明器具において、既設の埋め込み用円形開口部（ＣＥａ）に適合し、且つ、薄型灯具（１'）と薄型灯具（１'）内側の上端角部に専用口金（ＥＳ）を傾斜させて設けた薄型冷熱源（２'）付ＬＥＤランプ（ＬＬ'）と、専用口金（ＥＳ）から専用直流配線（Ｗ）を介して別置にして設けた電源装置（３）から成る事を特徴とする電源装置別置式直下埋め込み薄型ＬＥＤ照明器具から構成される。
【００１７】
図４に示す様に薄型照明器具の場合、薄型専用の灯具（１'）を既存の天井の開口部（ＣＥａ）に設置し、薄型灯具（１'）内側の上端角部に専用口金（ＥＳ）を傾斜させて設けた薄型冷熱源（２'）付ＬＥＤランプ（ＬＬ'）を設け、且つ、薄型灯具（１'）と別置にして電源装置（３）を設け、且つ、専用口金（ＥＳ）と電源装置（３）間に専用直流配線（Ｗ）を新設したものである。
【００１８】
又、図５（Ａ）（Ｂ）は現行のＬＥＤ灯具分離型を示し、（Ａ）は斜視図で、（Ｂ）は発熱状況を示す断面図である。断面図に示す様に電源装置（３）とＬＥＤランプ（ＬＬ）は分離されてはいるものの、灯具内部の反射熱を直接諸に受ける為、熱がこもり、ＬＥＤランプ（ＬＬ）の耐久性に悪影響を及ぼす
【産業上の利用可能性】
【００１９】
この発明の電源装置別置式ＬＥＤ直下埋め込み型及びＬＥＤ直下埋め込み薄型照明器具は、現行の灯具との互換性を保ちながら、ＬＥＤ光源と電源装置を別置にして、ランプ・ヒートシンクの小型化と半導体への熱影響の低減及びＬＥＤ寿命時期にランプのみの交換を可能にする事で、多くの電気工事関係市場に寄与する為、産業上の利用可能性を有する。
【符号の説明】
【００２０】
１  既存灯具
１'  薄型灯具（新設）
２  冷熱源
２'  薄型冷熱源（新設）
３  電源装置（新設）
ＣＥ  天井
ＣＥａ 開口部
ＥＳ  専用口金（新設）
Ｈ  熱
ＨＲ  放熱
Ｌ１  白熱球
Ｌ２  電球型蛍光灯
ＬＬ  ＬＥＤランプ
ＬＬ'  薄型ＬＥＤランプ（新設）
ＰＳ  電源
Ｗ  専用直流配線（新設）
Ｗ'  既存交流配線
【図１】
2010244770.tif 000003
【図２】
2010244770.tif 000004
【図３】
2010244770.tif 000005
【図４】
2010244770.tif 000006
【図５】
2010244770.tif 000007